(57)【特許請求の範囲】
【請求項１】
コンクリート型枠の内側面に仮止めされて用いられ、当該コンクリート型枠内に打設されたコンクリートの表面に貼り付くコンクリート養生シートであって、土中において微生物の働きにより水と二酸化炭素に分解される生分解性樹脂からなり、コンクリートの表面に貼り付く生分解性樹脂からなる第１層と、上記第１層とは異なるコンクリート養生目的を有し生分解性を有しない樹脂からなる第２層とが積層され、上記第２層が上記第１層から剥離可能であることを特徴とするコンクリート養生シート。
【請求項２】
請求項１に記載のコンクリート養生シートにおいて、上記生分解性樹脂はカルボニル基を有する生分解性樹脂であることを特徴とするコンクリート養生シート。
【請求項３】
請求項１または請求項２に記載のコンクリート養生シートにおいて、上記第１層と上記第２層の接着力よりも、上記第１層と上記コンクリートの接着力が大であることを特徴とするコンクリート養生シート。
【請求項４】
コンクリート養生シートをコンクリート型枠の内面に仮止めする工程と、上記コンクリート型枠内にコンクリートを打設して養生する工程と、上記コンクリートの養生の途中で上記コンクリート養生シートを残した状態で上記コンクリート型枠を取り外す工程と、上記残されたコンクリート養生シートによってコンクリートの養生を継続する工程と、基礎コンクリートを上記コンクリート養生シートが貼り付いたまま土中に埋める工程とを有しており、
上記コンクリート養生シートとして、コンクリート型枠の内側面に仮止めされて用いられ、当該コンクリート型枠内に打設されたコンクリートの表面に貼り付くコンクリート養生シートであって、カルボニル基を有し、土中において微生物の働きにより水と二酸化炭素に分解される生分解性樹脂を用い、
上記生分解性樹脂のカルボニル基の酸素イオンと基礎コンクリートの主成分である石灰石のカルシウムイオンとの電気陰性度の差による電荷の偏りで水素結合分子間引力を生じさせることで、上記基礎コンクリートに上記コンクリート養生シートを強く接着させて上記養生継続の工程を行わせることを特徴とするコンクリート施工方法。
【請求項５】
コンクリート型枠の内面に請求項１〜請求項３のいずれか１項に記載のコンクリート養生シートを仮止めする工程と、上記コンクリート型枠内にコンクリートを打設して養生する工程と、上記コンクリートの養生の途中で上記コンクリート養生シートを残した状態で上記コンクリート型枠を取り外す工程と、上記コンクリート型枠を取り外す際または取り外した後に上記第２層を上記第１層から剥がす工程と、上記残された第１層によってコンクリートの養生を継続する工程と、を有することを特徴とするコンクリート施工方法。
【請求項６】
請求項５に記載のコンクリート施工方法において、基礎コンクリートを上記第１層が貼り付いたまま土中に埋める工程を有することを特徴とするコンクリート施工方法。
【請求項７】
請求項５または請求項６に記載のコンクリート施工方法において、基礎コンクリート以外のコンクリートに貼り付いている上記第１層を剥がして、基礎コンクリートを土中に埋めるときに上記剥がした上記第１層を埋める工程を有することを特徴とするコンクリート施工方法。
【発明の詳細な説明】
【技術分野】
【０００１】
この発明は、コンクリート型枠とともに用いることができるコンクリート養生シートおよびこのコンクリート養生シートを用いたコンクリート施工方法に関する。
【背景技術】
【０００２】
特許文献１には、脱型後においてもコンクリートの養生期間を確保することができる型枠用コンクリート養生保持板を用いたコンクリート構造物の施工方法および型枠用コンクリート養生保持板が開示されている。具体的には、一定の間隔を保持して設置される型枠パネルの少なくとも一方の内面にコンクリート養生保持板を仮止めする工程と、前記型枠パネル内にコンクリートを打設し、養生する工程と、前記コンクリートの養生の途中でコンクリート養生保持板を残した状態で型枠パネルを取り外す工程を備え、前記残置したコンクリート養生保持板によってコンクリートの養生を継続させる。
【先行技術文献】
【特許文献】
【０００３】
【特許文献１】特開２００５-１１３３７２号公報
【発明の概要】
【発明が解決しようとする課題】
【０００４】
しかしながら、上記特許文献１に開示された方法では、コンクリート養生保持板である紙やシートを養生後のコンクリート構造物から剥がし、廃棄物として処理する必要がある。
【０００５】
この発明は、上記の事情に鑑み、コンクリート施工における廃棄物量を減らし、また、コンクリート養生シートを剥がすという作業を極力少なくできるコンクリート養生シートおよびコンクリート施工方法を提供することを課題とする。
【課題を解決するための手段】
【０００６】
この発明のコンクリート養生シートは、上記の課題を解決するために、コンクリート型枠の内側面に仮止めされて用いられ、当該コンクリート型枠内に打設されたコンクリートの表面に貼り付くコンクリート養生シートであって、土中において微生物の働きにより水と二酸化炭素に分解される生分解性樹脂からなることを特徴とする。
【０００７】
上記の構成であれば、上記コンクリート養生シートは土中において微生物の働きにより水と二酸化炭素に分解されるので、例えば、当該コンクリート養生シートによって基礎コンクリートを養生する場合、このコンクリート養生シートが貼り付いたまま上記基礎コンクリートを土中に埋めることができる。したがって、上記コンクリート養生シートを基礎コンクリートから剥がす手間が省かれ、作業負担を軽減できる。さらに、上記コンクリート養生シートを廃棄しなくて済むので、廃棄物量を減らすことができる。また、上記基礎コンクリート以外の、例えば、柱等のコンクリートに貼り付いているコンクリート養生シートを剥がして、基礎コンクリートを土中に埋めるときに上記剥がしたコンクリート養生シートを埋めることでも、廃棄物量を減らすことができる。
【０００８】
上記コンクリート養生シートはカルボニル基を有する生分解性樹脂からなっていてもよい。上記カルボニル基を有すると、上記コンクリートとの間で比較的強い接着力を得ることが可能となる。したがって、建築現場の風等によって上記コンクリート養生シートが剥がれるおそれが少なくなり、コンクリート養生を確実に行うことができる。
【０００９】
互いに異なるコンクリート養生目的を有する複数の層が積層されていてもよい。コンクリート養生目的としては、保水目的、遮光目的、遮風目的、保温目的等がある。例えば、保水性に優れた層と保温性に優れた層を適用した場合には、保水性に優れ且つ保温性に優れたコンクリート養生シートとなる。１つの層に複数の養生目的を持たせるのは容易でないが、個々の層に独立した養生目的をもたせることは容易であり、低コスト化も図りやすい。
【００１０】
コンクリートの表面に貼り付く生分解性樹脂からなる第１層と、第１層とは異なるコンクリート養生目的を有し生分解性を有しない樹脂からなる第２層とが積層され、上記第２層が上記第１層から剥離可能であってもよい。これによれば、例えば、保水性に優れた第１層と保温性に優れた第２層を積層した場合には、保水性に優れ且つ保温性に優れたコンクリート養生シートとなる。そして、上記第２層だけを剥がして廃棄物として処理し、上記第１層は土中処分できるので、廃棄物量を減らすことができる。なお、積層は３層以上の複数層としてもよい。
【００１１】
上記第１層と上記第２層の接着力よりも、上記第１層と上記コンクリートの接着力が大であるのがよい。これによれば、上記第２層を引き剥がすときに第１層がコンクリートから同時に剥がされてしまう事態を防止できるので、作業性が向上する。
【００１２】
また、この発明のコンクリート施工方法は、コンクリート型枠の内面に上記いずれかのコンクリート養生シートを仮止めする工程と、上記コンクリート型枠内にコンクリートを打設して養生する工程と、上記コンクリートの養生の途中で上記コンクリート養生シートを残した状態で上記コンクリート型枠を取り外す工程と、上記残されたコンクリート養生シートによってコンクリートの養生を継続する工程と、を有することを特徴とする。
【００１３】
上記コンクリート施工方法において、基礎コンクリートをコンクリート養生シートが貼り付いたまま土中に埋めることとしてもよい。また、基礎コンクリート以外のコンクリートに貼り付いているコンクリート養生シートを剥がして、基礎コンクリートを土中に埋めるときに上記剥がしたコンクリート養生シートを埋めることとしてもよい。
【００１４】
また、この発明のコンクリート施工方法は、コンクリート型枠の内面に上記第１層と第２層からなるコンクリート養生シートを仮止めする工程と、上記コンクリート型枠内にコンクリートを打設して養生する工程と、上記コンクリートの養生の途中で上記コンクリート養生シートを残した状態で上記コンクリート型枠を取り外す工程と、上記コンクリート型枠を取り外す際または取り外した後に上記第２層を上記第１層から剥がす工程と、上記残された第１層によってコンクリートの養生を継続する工程と、を有することを特徴とする。
【００１５】
上記コンクリート施工方法において、基礎コンクリートを上記第１層が貼り付いたまま土中に埋めることとしてもよい。これによれば、上記第２層だけを剥がして廃棄物として処理し、上記第１層は土中処分できるので、廃棄物量を減らすことができる。
【００１６】
上記コンクリート施工方法において、基礎コンクリート以外のコンクリートに貼り付いている上記第１層を剥がして、基礎コンクリートを土中に埋めるときに上記剥がした上記第１層を埋めるようにしてもよい。これによれば、基礎コンクリート以外のコンクリートに貼り付いている上記第１層を廃棄物としないことで、廃棄物量を減らすことができる。
【発明の効果】
【００１７】
本発明であれば、コンクリート施工における廃棄物量を減らし、また、コンクリート養生シートを剥がすという作業を極力少なくできるという効果を奏する。また、コンクリート養生シートは、コンクリート打設時の型枠の養生を兼ねることができ、コンクリート養生シートを型枠内側に仮止めすることで、型枠の劣化を遅延させる効果が得られるので、型枠転用回数が大幅に増加し、型枠の原料となる森林の保護にもなる。
【図面の簡単な説明】
【００１８】
【図１】図１は本発明の一実施形態に係るコンクリート養生シートを用いたコンクリート施工方法を行うコンクリート型枠等を示した斜視図である。
【図２】図１のコンクリート型枠における一方の型パネルを型内側から見た説明図である。
【図３】図１のコンクリート施工方法で製作されたコンクリートの断面を示した断面図である。
【図４】同図（Ａ）は、本発明の他の実施形態に係るコンクリート養生シートがコンクリートに貼り付いている状態を示した概略の断面図であり、同図（Ｂ）は、本発明の他の実施形態に係るコンクリート養生シートがコンクリートに貼り付いている状態を示した概略の断面図である。
【図５】図４（Ｂ）のコンクリート養生シートを用いたコンクリート施工方法を示した説明図である。
【００１９】
以下、この発明の実施の形態を添付図面に基づいて説明する。
図１に示しているように、例えば、捨てコンクリート２上に、この実施形態にかかるコンクリート施工方法を実施するためのコンクリート型枠１が組み立てられる。上記コンクリート型枠１は、例えば、対向配置される型パネル１１と、上記対向配置される上記型パネル１１を一定間隔に保持するセパレータ１２と、上記型パネル１１に形成された孔１１ａに通された図示しないコーンの螺子部に螺合されて上記型パネル１１を外側から押さえる商品名フォームタイ１３と、上記フォームタイ１３の軸部を上下から挟むように設けられた単管１４とからなる。上記コーンの本体部はコンクリート型枠１内に位置する。また、上記単管１４は、上記フォームタイ１３によって上記型パネル１１側に締め付けられる。
【００２０】
各型パネル１１の内面には、図２にも示すように、両面粘着テープ３によってコンクリート養生シート４が仮止めされる。上記コンクリート養生シート４が予め仮止めされた型パネル１１に対して、上記セパレータ１２等の組み付けが行われ、上記コンクリート型枠１が完成される。上記セパレータ１２が取り付けられるときには、上記孔１１ａと対応する箇所において、上記コンクリート養生シート４に孔が形成される。
【００２１】
上記コンクリート養生シート４は、上記コンクリート型枠１の各型パネル１１の内側面に仮止めされて用いられ、当該コンクリート型枠１内に打設されたコンクリート５の表面に貼り付く。そして、上記コンクリート養生シート４は、土中において微生物の働きにより水と二酸化炭素に分解される生分解性樹脂からなる。
【００２２】
この実施形態では、上記コンクリート養生シート４は、カルボニル基を有する生分解性樹脂からなる。カルボニル基を有する生分解性樹脂としては、芳香族ポリエステルのＢＡＳＦ社製の商品名エコフレックス (PBAT / Polybutylene Adipate Telephtalate copolymer / ポリブチレンアジペート・テレフタレート共重合体)、ＢＡＳＦ社製の商品名エコバイオ(商品名エコフレックスとポリ乳酸のコンパウンド材料)がある。また、その他の材料としては、ポリ乳酸、ポリブチレンサクシネート、ポリヒドロキシアルカノエート（PHA）系材料等がある。もちろん、カルボニル基を有する生分解性樹脂は、上記のような樹脂に限られない。
【００２３】
この実施形態のコンクリート施工方法は、上記コンクリート型枠１の各型パネル１１の内面に上記コンクリート養生シート４を、例えば、上記両面粘着テープ３によって仮止めする工程と、上記コンクリート型枠１内にコンクリート５を打設して養生する工程と、図３に示すように、コンクリート５の養生の途中で上記コンクリート養生シート４を残した状態で上記コンクリート型枠１を取り外す工程と、上記残されたコンクリート養生シート４によってコンクリート５の養生を継続する工程と、を備えている。上記コンクリート型枠１により製作される上記コンクリート５は、建物基礎となる基礎コンクリート５となるが、これに限らず、上記コンクリートには、柱や梁や壁となるコンクリートが含まれる。
【００２４】
そして、この実施形態では、さらに、上記基礎コンクリート５をコンクリート養生シート４が貼り付いたまま土中に埋めるようにしている。また、上記基礎コンクリート５以外のコンクリート５に貼り付いているコンクリート養生シート４を剥がして、基礎コンクリート５を土中に埋めるときに上記剥がしたコンクリート養生シート４を土中に埋めることもできる。
【００２５】
上記の構成であれば、上記コンクリート養生シート４は、微生物の働きにより水と二酸化炭素に分解されるので、当該コンクリート養生シート４で基礎コンクリート５を養生する場合、このコンクリート養生シート４が貼り付いたまま上記基礎コンクリート５を土中に埋めることができる。したがって、上記コンクリート養生シート４を基礎コンクリート５から剥がす手間が省かれ、作業負担を軽減できる。さらに、上記コンクリート養生シート４を場外に廃棄しなくて済むので、廃棄物量を減らすことができる。また、上記基礎コンクリート５以外の柱等のコンクリート５に貼り付いているコンクリート養生シート４を剥がして、基礎コンクリート５を土中に埋めるときに上記剥がしたコンクリート養生シート４を埋めることでも、廃棄物量を減らすことができる。
【００２６】
ところで、上記残されたコンクリート養生シート４によってコンクリート５の養生を継続する工程おいては、現場の風等によって上記コンクリート養生シート４が剥がれてしまうと、コンクリート養生シート４が場外に飛散したり、コンクリート養生が不十分になるおそれがある。したがって、上記コンクリート養生シート４は比較的強く養生中の上記コンクリート５に貼り付いていることが望まれる。
【００２７】
上記カルボニル基を有する生分解性樹脂からなるコンクリート養生シート４は、比較的強く上記コンクリート５に貼り付いていることができるので、建築現場の風等によって剥がれるおそれが少なく、コンクリート養生を確実に行うことができる利点がある。この強い接着力は、コンクリート５の主成分であるセメントの材料（例：石灰石）とカルボニル基を有する生分解性樹脂とでの原子間における電気陰性度の差により、分子の間の引き合う力（分子間引力）が生じることで得られる。すなわち、コンクリート５の主成分である石灰石(CaCO3)のカルシウムイオン（Ca+)とカルボニル基(-CO-)を有する生分解性樹脂の酸素イオン (O2-)との電気陰性度の差による電荷の偏りが水素結合分子間引力を生じ、物理的相互作用が働くために、コンクリート５とコンクリート養生シート４が強く接着する。各元素の電気陰性度はCa (1.00), O (3.44)であり、元素の電気陰性度の差が大きい程、接着力が強くなる。
【００２８】
ここで、コンクリートに対する接着力について、ポリエチレン製シートからなる養生シートと比較すると、表１に示す比較結果が得られた。なお、打設したコンクリート５の調合は、表２に示す通りである。また、比較試験では、１０x１０x４０ｃｍの鋼製コンクリート用型枠の長側面および底面に養生シートを設置し、コンクリートを２層に分けて打設した。締固めは振動台により行った。打設面をコテで均した後、打設面をラップフィルムで覆い、水分の蒸発を防止した。そして、２０℃の恒温室で７日間養生後、鋼製コンクリート用型枠を脱型し、長側面の養生シートの表面に４０x４０ｍｍの接着試験用アタッチメントをエポキシ樹脂接着剤で接着した。接着剤が硬化後、アタッチメントに沿って養生シートにカッターナイフで切込みを入れ、建研式接着力試験機で接着力を測定した。
【表１】
0006523644.tif 000002
【表２】
0006523644.tif 000003
【００２９】
次に、他の実施形態について説明していく。図４（Ａ）に示すように、この実施形態のコンクリート養生シート４１は、互いに異なるコンクリート養生目的を有する第１層４１ａと、第２層４１ｂが積層されてなる。第１層４１ａおよび第２層４１ｂはともに生分解性樹脂からなる。そして、例えば、第１層４１ａは保水性に優れており、上記コンクリート５の表面に貼り付く。一方、第２層４１ｂは保温性に優れており、各型パネル１１の内面側に位置する。このように、上記コンクリート養生シート４１は、保水性に優れ且つ保温性に優れた養生シートとなる。ここで、１つの層に複数の養生目的を持たせるのは容易でないが、個々の層に独立した養生目的をもたせることは容易であり、低コスト化も図りやすい。
【００３０】
次に、他の実施形態について説明していく。図４（Ｂ）に示すように、この実施形態のコンクリート養生シート４２は、コンクリート５の表面に貼り付く生分解性樹脂からなる第１層４２ａと、この第１層４２ａとは異なるコンクリート養生目的を有し生分解性を有しない樹脂からなる第２層４２ｂとが積層され、上記第２層４２ｂが上記第１層４２ａから剥離可能になっている。例えば、第１層４２ａは保水性に優れており、上記コンクリート５の表面に貼り付く。一方、第２層４２ｂは保温性に優れており、各型パネル１１の内面側に位置する。このようにコンクリート養生シート４２は、保水性に優れ且つ保温性に優れた養生シートとなる。１つの層に複数の養生目的を持たせるのは容易でないが、個々の層に独立した養生目的をもたせることは容易であり、低コスト化も図りやすい。なお、積層は３層以上の複数層としてもよい。
【００３１】
上記第１層４２ａと上記第２層４２ｂの接着力よりも、上記第１層４２ａと上記コンクリート５の接着力の方が大きい。例えば、上記第１層４２ａと上記コンクリート５の接着力が、上記表１に示したように、０．８８Ｎ／ｍｍ２  となるのであれば、上記第１層４２ａと上記第２層４２ｂの接着力は、０．８８Ｎ／ｍｍ２  よりも小さくされる。これによれば、上記第２層４２ｂを引き剥がす作業で無理なく自然と当該第２層４２ｂのみが剥がされることになる。すなわち、上記第２層４２ｂを引き剥がすときに第１層４２ａがコンクリート５から同時に剥がされてしまう事態を防止できるので、コンクリート施工の作業性が向上する。なお、上記第２層４２ｂを上記型パネル１１の内面に接着する両面粘着テープ３の上記第２層４２ｂに対する接着力は、上記第１層４２ａと上記第２層４２ｂの接着力よりも小さくされる。
【００３２】
上記コンクリート養生シート４２を用いたコンクリート施工方法は、図１を利用して説明すると、上記コンクリート型枠１の各型パネル１１の内面に上記コンクリート養生シート４２を、例えば、上記両面粘着テープ３によって仮止めする工程と、上記コンクリート型枠１内にコンクリート５を打設して養生する工程と、を有する。
【００３３】
そして、図５に示すように、上記コンクリート５の養生の途中で上記コンクリート養生シート４２を残した状態で上記コンクリート型枠１を取り外す工程と、上記コンクリート型枠１を取り外す際または取り外した後に上記第２層４２ｂを上記第１層４２ａから剥がす工程と、上記残された第１層４２ａによってコンクリートの養生を継続する工程と、を有する。
【００３４】
上記コンクリート施工方法において、基礎コンクリート５を上記第１層４２ａが貼り付いたまま土中に埋めることとしてもよい。これによれば、上記第２層４２ｂだけを剥がして廃棄物として処理し、上記第１層４２ａは土中処分できるので、廃棄物量を減らすことができる。
【００３５】
また、上記コンクリート施工方法において、基礎コンクリート５以外のコンクリートに貼り付いている上記第１層４２ａを剥がして、基礎コンクリート５を土中に埋めるときに上記剥がした上記第１層４２ａを埋めるようにしてもよい。これによれば、基礎コンクリート５以外のコンクリート５に貼り付いている上記第１層４２ａを廃棄物としないことで、廃棄物量を減らすことができる。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      コンクリート型枠
１１    型パネル
１４    単管
２      捨てコンクリート
３      両面粘着テープ
４      コンクリート養生シート
４１    コンクリート養生シート
４１ａ  第１層
４１ｂ  第２層
４２    コンクリート養生シート
４２ａ  第１層
４２ｂ  第２層
【図１】
0006523644.tif 000004
【図２】
0006523644.tif 000005
【図３】
0006523644.tif 000006
【図４】
0006523644.tif 000007
【図５】
0006523644.tif 000008